(57)【要約】    【課題】  室内空気の温度を低下させず、飽和蒸気圧以下の低湿度な空気とすることが可能で、除湿時の冷風感がなく乾燥した室内空間とすることができる除湿装置を提供する。    【解決手段】  循環用送風機４と、吸着材１と、温水熱交換器５と、再生用送風機６を備え、循環用送風機４により吸気口７からケーシング２０ａ内に導入した室内の空気を吸着材１に接触させ空気中の水分を吸着させて除湿した後、除湿された空気を吐出口８から室内に戻し、再生用送風機６により吸込口９からケーシング２０ａ内に供給される再生用空気を温水熱交換器５により加熱して、加熱された再生用空気を水分吸着後の吸着材１に接触させて２０ａ吸着材１から水分を除去する除湿装置。    【選択図】  図１
2005305203.tif 000002
【特許請求の範囲】
【請求項１】
循環用送風機と、吸着材と、温水熱交換器と、再生用送風機を備え、前記循環用送風機により吸気口からケーシング内に導入した室内の空気を前記吸着材に接触させ空気中の水分を吸着させて除湿した後、除湿された空気を吐出口から室内に戻し、前記再生用送風機により吸込口からケーシング内に供給され前記温水熱交換器により加熱された再生用空気を、水分吸着後の前記吸着材に接触させ吸着材から水分を除去する除湿装置。
【請求項２】
温水熱交換器に、循環ポンプを備える給湯用燃焼機の温水を循環させる請求項１記載の除湿装置。
【請求項３】
給湯用燃焼機が、追焚燃焼部を備える外壁貫通設置型給湯付風呂釜であって、この風呂釜と浴槽とを接続する追焚循環経路の途中に設けた切替機構により、浴槽と温水熱交換器との温水の循環ルートを切り替える請求項２記載の除湿装置。
【発明の詳細な説明】
【技術分野】
【０００１】
本発明は、室内空気の温度を低下させずに除湿でき、一般住宅の浴室などに用いて好適な除湿装置に関する。
【背景技術】
【０００２】
図３に示すように一般的な除湿器として、コンプレッサ３０と膨張弁３１及び室内側熱交換器３２と屋外側熱交換器３３から構成され、その間を冷媒が循環して圧縮と膨張を繰返すもので、コンプレッサ３０で圧縮した冷媒を膨張弁３１で減圧・膨張させて室内側熱交換器３２に導き、冷媒は減圧されて気化し、周囲から気化熱を奪うため、室内側ファン３４によって室内側熱交換器３２に導かれた空気は室内側熱交換器３２で冷却され、この結果、空気の飽和蒸気圧が低下するため空気中の水分が凝縮して、空気の湿度を低くすることができ、湿度の下がった空気は除湿器から室内に戻され、室内の湿度を下げる構成のものが知られている（特許文献１参照）。
【特許文献１】特開平５−１８６３０号公報
【発明の開示】
【発明が解決しようとする課題】
【０００３】
上記で述べた除湿器は空気を冷却して除湿する機構であり、除湿運転をすると、同時に空気の温度も低下するので寒さを感じてしまう問題があり、また、冷却した空気中の水分は飽和水蒸気圧となり、それ以下には湿度を下げることはできないという問題を有していた。
【０００４】
本発明は、室内空気の温度を低下させず、飽和蒸気圧以下の低湿度な空気とすることが可能で、除湿時の冷風感がなく乾燥した室内空間とすることができる除湿装置を提供する。
【課題を解決するための手段】
【０００５】
本発明は、次ぎのものに関する。
（１）循環用送風機と、吸着材と、温水熱交換器と、再生用送風機を備え、前記循環用送風機により吸気口からケーシング内に導入した室内の空気を前記吸着材に接触させ空気中の水分を吸着させて除湿した後、除湿された空気を吐出口から室内に戻し、前記再生用送風機により吸込口からケーシング内に供給され前記温水熱交換器により加熱された再生用空気を、水分吸着後の前記吸着材に接触させ吸着材から水分を除去する除湿装置。
（２）温水熱交換器に、循環ポンプを備える給湯用燃焼機の温水を循環させる上記（１）記載の除湿装置。
（３）給湯用燃焼機が、追焚燃焼部を備える外壁貫通設置型給湯付風呂釜であって、この風呂釜と浴槽とを接続する追焚循環路の途中に設けた切替機構により、浴槽と温水熱交換器との温水の循環ルートを切り替える上記（２）記載の除湿装置。
（作用）
【０００６】
循環用送風機により室内の空気を除湿器のケーシング内に導いて吸着材に接触させると、室内の空気中の水分は吸着材に吸着されて除湿される。なお、水分の吸着量は吸着材の吸着能力で決定されるので、吸着材の形状や量を適正に設定すれば、露点がマイナス温度になるまで湿度をさげることも可能となる。
さらに、吸着材に吸着した水分は、給湯用燃焼機等の別の手段で作った温水を温水熱交換器に循環させ、この温水の熱エネルギで加熱された再生用空気が再生用送風機により供給されて水分が脱着され、吸着材が再生される。
なお、吸着材から分離された水分は再生用空気と共に排出口からケーシング外に排出するか、又は、再生用空気を冷却し水分を分離してから別々に排出する。その結果、吸着材は継続して空気中の水分の吸着と脱着が繰り返される。
【発明の効果】
【０００７】
本発明の除湿装置によれば、室内の空気を吸着材に接触させ空気中の水分を吸着させて除湿した後、除湿された空気を吐出口から室内に戻すため、室内空気の温度が低下せず除湿時の冷風感が解消されるとともに、水分を吸着した吸着材の再生を温水熱交換器による加熱で再生用空気としており、住宅で使用される給湯用燃焼機の温水を利用して温水熱交換器に循環させることで、吸着材を再生するための専用の熱源が不要となってより安価な除湿装置となる。
【発明を実施するための最良の形態】
【０００８】
本発明の除湿装置における吸着材は、円板形状の基材に吸着剤としてシリカゲル又はゼオライトのような多孔質物質を担持させ、空気中の水分を吸着剤に吸着させる吸着部と、吸着した水分を温水熱交換器により加熱された再生用空気で吸着剤から脱着させる脱着部（再生部）とに区分したロータ式の除湿ロータとし、除湿ロータをモータによって回転させる。
【０００９】
循環用送風機、吸着材、温水熱交換器、及び再生用送風機はケーシング内に設けられ、ケーシングには、室内の空気をケーシング内に導入する吸気口、除湿した空気を室内に戻す吐出口、吸着材を再生するための空気をケーシング内に取り入れるための吸込口、吸着材を再生した後の再生用空気をケーシング外に排出するための排出口が設けられる。
【００１０】
再生用送風機によりケーシング内に供給された空気を加熱して吸着材を再生するための温水熱交換器への温水は、循環ポンプを備える給湯用燃焼機に接続して循環させる方式、又は、給排気口を屋外に位置し配管類の接続部が浴室内の壁面側に位置して浴室外壁に設けた貫通孔に設置する外壁貫通設置型給湯付風呂釜を利用して、この風呂釜と浴槽とを接続する追焚循環路の途中に切替機構を設け、この切替機構の切り替えにより温水熱交換器に温水が循環できるようにすれば、給湯用燃焼機の循環ポンプを利用して温水熱交換器に温水を循環させることができるとともに、再生用空気を加熱するための専用の熱源が不要となってより好ましい。
【実施例】
【００１１】
以下、図１及び図２を参照しながら本発明による除湿装置の実施例を説明する。
図１（ａ）は本発明による除湿装置の基本構成図、図１（ｂ）は図１（ａ）中のＡ−Ａ断面を示し吸着材部分の断面図、図１（ｃ）は除湿装置の吸着材再生用の温水熱交換器に給湯用燃焼機として外壁貫通設置型給湯付風呂釜を接続して温水を供給する方式の実施例による断面図、図２は本発明による除湿装置の吸着材再生用の温水熱交換器に給湯付燃焼機を接続して温水を供給する方式の実施例による断面図である。
【００１２】
図１（ａ）及び（ｂ）において、除湿装置の除湿器２０は、基材に吸着剤としてシリカゲル又はゼオライトのような多孔質物質を担持させた除湿ロータ２と、この除湿ロータ２をモータ３で回転させる構成とした吸着材１、室内空気循環用の循環用送風機４、温水熱交換器５、温水熱交換器５に再生用空気を導入するための再生用送風機６等、から構成される。吸着材１としての除湿ロータ２は、構成的には図１（ｂ）に示すように、室内空気の水分を吸着する吸着部１１と、吸着材１の水分を脱着する脱着部（再生部）１２に仕切られており、吸着部１１では、循環用送風機４の駆動によりケーシング２０ａの吸気口７から吸い込まれた室内の空気は、除湿ロータ２に導かれて空気中の水分が吸着材１に吸着し、湿度が低下した室内空気はケーシング２０ａの吐出口８から室内に戻される。この際、室内空気の冷却は行わないので、室内の温度が低下することはない。
除湿ロータ２は、モータ３の駆動によって回転しており、吸着部１１で水分を吸着した吸着材は脱着部（再生部）１２に移動する。脱着部（再生部）１２では、再生用空気の吸込口９から入った空気が温水熱交換器で加熱されて再生用空気となり、再生用送風機６によって除湿ロータ２に導かれ、吸着材１に吸着した水分が蒸発して再生用空気中に取込まれる。これにより、吸着材１の水分が脱着されて吸着材１が再生する。除湿ロータ２は除湿運転中は常時回転しているため、除湿ロータ２の吸着材１では吸着と脱着が連続して繰返され、室内空気の除湿を連続して行い、室内の湿度を低減する。
【００１３】
図１（ｃ）は、除湿器２０の温水熱交換器５に、給排気口を屋外に位置し配管類の接続部が浴室内の壁面側に位置して浴室外壁に設けた貫通孔に設置する外壁貫通設置型給湯付風呂釜２６に接続して温水を循環させる方式の構成を示し、追焚循環路２９の途中に浴槽２７と除湿器２０との循環ルートを切替える切替機構２５を設ける。これにより、外壁貫通設置型給湯付風呂釜２６の追焚き燃焼部を利用して、除湿器２０の温水熱交換器５で使用する温水を供給することができる。
【００１４】
図２は、給湯用燃焼機２１の燃焼部２２で温水を作り、内蔵した循環ポンプ２３で温水を循環させて、図１（ａ）で示した除湿器２０と組み合わせたシステムであり、除湿器２０は壁に取付けられているので、再使用空気は再生用送風機６によって屋外の吸込口９から供給され、吸着材１の再生に使用された後の湿度・温度が高い空気は、排出口１０から屋外に導かれる。なお、吸込口９は、特に屋外に限らず屋内であってもよい。
【図面の簡単な説明】
【００１５】
【図１】（ａ）は本発明による除湿装置の基本構成図、（ｂ）は図１（ａ）中のＡ−Ａ断面を示し吸着材部分の断面図、（ｃ）は除湿装置の吸着材再生用の温水熱交換器に給湯用燃焼機として外壁貫通設置型給湯付風呂釜を接続して温水を供給する方式の実施例による断面図である。
【図２】本発明による除湿装置の吸着材再生用の温水熱交換器に給湯付燃焼機を接続して温水を供給する方式の実施例による断面図である。
【図３】従来例による除湿装置の構成図である。
【符号の説明】
【００１６】
１  吸着材                            ２  除湿ロータ
３  モータ                            ４  循環用送風機
５  温水熱交換器                      ６  再生用送風機
７  吸気口                            ８  吐出口
９  吸込口                          １０  排出口
１１  吸着部                          １２  脱着部（再生部）
２０  除湿器                        ２０ａ  ケーシング
２１  給湯用燃焼機                    ２２  燃焼部
２３  循環ポンプ                      ２５  切替機構
２６  外壁貫通設置型給湯付風呂釜      ２７  浴槽
２８  循環口                          ２９  追焚循環路
３０  コンプレッサ                    ３１  膨張弁
３２  室内側熱交換器                  ３３  屋外側熱交換器
３４  室内側ファン                    ３５  屋外側ファン
【図１】
2005305203.tif 000003
【図２】
2005305203.tif 000004
【図３】
2005305203.tif 000005